(57)【要約】      （修正有）【課題】石膏ボード等の壁の裏側にある下地に関係なく、ハンマーで斜め下向きに打つだけで重量物を壁に取り付けられる、焼入れされた鋼鉄の板状のピンを提供する。【解決手段】焼入れされた鋼鉄の板状のピンを重量物に斜め下向きに打ち石膏ボード自体で荷重を負担することで、木下地等に関係なくどこでも石膏ボード等の壁に重量物が取り付けられる。また取り外し後も小さい縦型のピンの穴しか残らないので補修が簡単である。【選択図】図１
0003125192.tif 000002
【実用新案登録請求の範囲】
【請求項１】
板状で縦にしてハンマーで斜め下向きに打ち、下向きの角度が保持されるように周囲を鋼鉄などで補強され、石膏ボード等〈石膏ボードや薄ベニヤなどの比較的弱い板材〉の壁に重量物の垂直加重を負担させられることが出来、先端部分が刃の様に薄いので取り外した場合の傷も小さく目立たないことを特徴とする焼入れされた鋼鉄の板状のピン。
【考案の詳細な説明】
【技術分野】
【０００１】
この考案は、石膏ボード等の壁面に補強金物を使い斜め下向きにハンマーで打ち込み重量物を取り付けられる、焼入れされた鋼鉄の板状のピンに関するものである。
【背景技術】
【０００２】
従来は、石膏ボード等の壁に重量物を取り付ける場合は、図３の様に木造の場合は石膏ボード等の裏側にある木材等のネジの効く下地を探しネジを使い固定していた。この方法は下地を探すのに専門的な知識が必要で取り付けたい場所に下地がない場合もあり、さらに取り外した場合のネジ穴も大きく残った。そして木構造意外の構造の壁では更に困難であった。また石膏ボード等の壁に物を取り付ける方法としては図４の様なフック付き斜めピンにより、小さい飾り棚や絵などを吊り下げる方法で取り付けしている。この方法では荷重が大きいとピンに回転力が働き壁からピンが抜けてしまい、重量のある棚や重量物が載るＴＶ台などの取り付けは不可能であった。
【考案の開示】
【考案が解決しようとする課題】
【０００３】
しかしながら、以上の従来の技術では、取り外し後のネジ穴の補修の問題もあり、下地を探す専門的な技術の問題もあり、重量物を石膏ボード等の壁に取り付けることは難しかった。そこでこの考案は石膏ボード等の壁の裏側にある下地に関係なく、ハンマーで斜め下向きに打つだけで重量物を壁に取り付けられる、焼入れされた鋼鉄に板状のピンを提供することを課題とする。
【課題を解決するための手段】
【０００４】
以上の課題を解決するために、請求項１の考案は、重量物をピンを通す下穴を開けた鉄板等を使って補強して、焼入れされた鋼鉄の板状のピンを、縦に使い上部から斜め４０度から６０度下向きに壁に打つ事により壁に取り付け、大きい荷重に耐えられることを特徴とする。
【考案の効果】
【０００５】
以上説明したように、この考案によれば、特に専門的な技術を必要とせず、特殊な工具も使わず、石膏ボード等の壁に大きい垂直荷重を負担させられる。取り外しも簡単であり、取り外し後の壁の傷もピンを縦長に使い先端が薄いので刃物で切った状態になり傷の幅が小さく目立たない。
【考案を実施するための最良の形態】
【０００６】
この考案の一実施形態を、図１に示す。
材質は鋼鉄で焼入れされており、板状であり厚みは市販されている図４のフック付き斜めピンの径と同じ約１ｍｍであり先端部分は刃物状に薄くなっていて頭の部分は打ち込んだ時にめり込まない様に大きくなっている。この姿図では頭の部分はピンの全体部分と同じ厚みであるが頭部分は厚みを変えてもかまわない。またこの考案の材質は鋼鉄であるが強度が保つことが出来ればステンレスなどの合金でも制作可能である。この実施形態で、板状のピンを縦に使い図２の様にピンが貫く部分に下穴が開いた補強金物を使い重量物を補強して石膏ボード等の壁に取り付ければ大きい垂直荷重を負担することが出来る。
【産業上の利用可能性】
【０００７】
この考案は焼入れされた鋼鉄の板状の斜めピンであり、ベニヤ板や木材、金属、プラスチック製品等を石膏ボード等に強固に固定する為に使えるので下地木材等のない、あるいは下地のある場所がわからない石膏ボード等の壁に棚、手摺下地、コート掛け、物干しポール下地等、大きい垂直荷重が掛かる物が取り付けられる。
【図面の簡単な説明】
【０００８】
【図１】この考案の一実施形態を示す姿図である。
【図２】この考案の使用例で上部斜め４０〜６０度下向きの板状のピンと補強金物部分の断面図である。
【図３】従来の、Ｌ型金物での棚の取り付け方法を示す断面図である。
【図４】従来の、壁に物を吊るす場合の斜めピン付フックの使用例である。
【符号の説明】
【０００９】
１  焼入れされた鋼鉄の板状のピン  
２  石膏ボード
３  壁に取り付ける重量物
４  上部のコの字型補強鉄板  
５  壁取り付けネジ
６  棚板固定ネジ
７  棚板
８  L型金物
９  フック付斜めピン
１０  小さい飾りだな
１１  壁下地木材
【図１】
0003125192.tif 000003
【図２】
0003125192.tif 000004
【図３】
0003125192.tif 000005
【図４】
0003125192.tif 000006
【手続補正書】
【提出日】平成18年6月6日(2006.6.6)
【手続補正１】
【補正対象書類名】実用新案登録請求の範囲
【補正対象項目名】全文
【補正方法】変更
【補正の内容】
【実用新案登録請求の範囲】
【請求項１】
ピンの先端部分の幅は中間部分と同じで厚みは先端に近くなるにつれて薄くなり先端は刃物状になっていて中間部分は幅も厚みも一定で板状になっており、先端部分の反対側の頭の部分の幅は中間部分より大きく、幅の方向を縦に使うことによりピンの断面が縦長になりピンを壁等に打ち込んだ時に大きい垂直荷重に耐え、厚みが小さいので抜いた時に壁面の傷が目立たないことを特徴とする焼入れされた鋼鉄の板状のピン。
【手続補正２】
【補正対象書類名】明細書
【補正対象項目名】全文
【補正方法】変更
【補正の内容】
【考案の詳細な説明】
【技術分野】
【０００１】この考案は、壁等に打ち込んだ時に大きな荷重に耐える、焼入れされた鋼鉄の板状のピンに関するものである。
【背景技術】
【０００２】従来の、壁に物を取り付ける金物の形状は軽い物の場合は丸いピンであり図４の様にフックと組み合わせ、物を吊り下げたりするが、重量のかかる物はピンで対応出来ず、図３の棚板７とＬ型金物の様にネジを使って付けるが、石膏ボードの壁などでは壁裏の下地木材が必要で、それを探して十分下地に届く長さのネジで取り付けるが、壁にネジ穴をあける事になる。
【考案の開示】
【考案が解決しようとする課題】
【０００３】しかしながら、以上の従来技術によれば、重量物を石膏ボードの壁などに取り付けるには図３の様にネジを使う場合は取り外し後のネジ穴の傷も大きく目立ち、壁裏の下地木材も必要であるが、下地を探す事は専門な技術や知識が必要であり、そこでこの考案は、図２の使用例の様な形で板状のピンを使うことで壁裏の下地も必要とせず重量物を壁に取り付けることが出来、取り外し後の傷も縦に細く小さくネジ穴ほど目立たない、焼入れされた鋼鉄の板状のピンを提供することを課題とする。
【課題を解決するための手段】
【０００４】以上の課題を解決するために、請求項１の考案は、先端部分の幅は中間部分と同じで厚みは先端に近くなるにつれて薄くなり先端は刃物状になっていて中間部分は幅も厚みも一定で板状になっており、先端部分の反対側の頭の部分は中間部分より大きく、幅の方向を縦に使うことにより断面が縦長になり壁等に打ち込んだ時に大きい垂直荷重に耐え、抜いた時の壁面の傷も目立たないことを特徴とする焼入れされた鋼鉄の板状のピンである。
【考案の効果】
【０００５】以上説明したように、この考案によれば焼入れされた鋼鉄製で板状のピンなので壁に打ち込まれた際に大きい垂直荷重に耐え、取り外し後の壁の傷もピンの先端が薄いので刃物で切った状態になり、傷が小さく目立たない。
【考案を実施するための最良の形態】
【０００６】この考案の一実施形態を、図１に示す。材質は鋼鉄で焼入れされており、板状であり厚みは市販されている図４のフック付き斜めピン９の径と同じ約１ｍｍであり先端部分は刃物状に薄くなっていて頭部は打ち込んだ時に相手の材料にめり込まない様に大きくなっている。
【産業上の利用可能性】
【０００７】この考案は焼入れされた鋼鉄の板状のピンであり、この図１の実施形態の板状のピン１を縦に使い、斜め下向きに石膏ボードの壁に打ち込んだ使用例の図２の状態では板状のピン１は断面積が図４のフックつき斜めピン９より大きく、より大きな垂直荷重を負担でき、板状のピンを斜め下向きの状態に保持することにより木製品、金属製品、プラスチック製品等の重量物を壁等に強固に固定する為に使えて取り外し後の壁の傷も小さい。
【図面の簡単な説明】
【０００８】
【図１】この考案の一実施形態を示す姿図である。
【図２】この考案のピンの使用例で上部斜め下向きの板状のピン１で板状の重量物３を、石膏ボードの壁に取り付けた状態の断面図である。
【図３】従来の、Ｌ型金物とネジでの棚の取り付け方法を示す断面図である。
【図４】従来の、壁に物を吊るす場合の斜めピン付フックの使用例である。
【符号の説明】
【０００９】１  焼入れされた鋼鉄の板状のピン
２  壁
３  壁に取り付ける重量物
４  補強鉄板
５  壁取り付けネジ
６  棚板固定ネジ
７  棚板
８  Ｌ型金物
９  フック付斜めピン
１０  小さい飾りだな
１１  壁下地木材